(57)【要約】      （修正有）【課題】透明体に、薬石としての稀有元素鉱石が発揮する効用を与えると共に、その稀有元素鉱石に、透明体の装飾性を高める作用をも発揮させ得るようにする。【解決手段】透明体に、目視可能な散点模様を具現する稀有元素鉱石の粉粒体が混入されている。稀有元素鉱石が、テラヘルツストーン、トルマリン及びゲルマニウムから選ばれる１種又は２種以上の鉱石である。透明体製品には、装飾用小物としてのとんぼ玉１、飲料品を乗せるコースタ、灰皿、化粧品を乗せるビン台などが相当する。【選択図】図１
0003133762.tif 000002
【実用新案登録請求の範囲】
【請求項１】
ガラス又は合成樹脂でなる透明体に、目視可能な散点模様を具現する稀有元素鉱石の粉粒体が混入されていることを特徴とする透明体製品。
【請求項２】
上記稀有元素鉱石が、テラヘルツストーン、トルマリン及びゲルマニウムから選ばれる１種又は２種以上の鉱石である請求項１に記載した透明体製品。
【請求項３】
上記透明体が、装飾用小物としてのとんぼ玉、飲料品を乗せるコースタ、飲料品を掻き混ぜるマドラー、化粧品を乗せるビン台、灰皿、食品保存庫の棚板から選ばれている請求項１又は請求項２に記載した透明体製品。
【考案の詳細な説明】
【技術分野】
【０００１】
本考案は、ガラス又は合成樹脂でなる透明体を一定の装飾小物や生活用品などの形状に成形してなる透明体製品、特に、希土類元素に属して薬石と通称されている稀有元素鉱石を利用して装飾性を付与した透明体製品に関する。
【背景技術】
【０００２】
近時、人や動物の身体に作用して健康を増進したり煙草や飲食物に作用してそれの味や匂いなどを好ましいものに変化させることに役立つ自然鉱石が注目されていて、温泉水などにゲルマニウム石、トルマリン石などの薬石を細粒とし、そのような細粒の層内に温泉水を浸透させて薬石による効用をその温泉水に付与するという風呂装置なども提案されている（たとえば、特許文献１参照）。
【０００３】
一方、日常の生活用品や装飾小物にはガラス又は合成樹脂で製作されたものが多くある。たとえば、穴のあいた色ガラスの玉に種々の色模様をつけたガラス工芸品としてのとんぼ玉、飲料品を乗せるコースタ、飲料品を掻き混ぜるマドラー、化粧品を乗せるビン台、灰皿、食品保存庫の棚板などを挙げることができる（たとえば、特許文献２参照）。そして、これらの生活用品や装飾小物の透明体としては、無色のもの、着色されたもの、模様をもたない無地もの、様々な柄模様の施されたものなど、多種多様なものが知られている。
【特許文献１】特開２００５−１７６９５３号公報
【特許文献２】特開２００４−２６５３３号公報
【考案の開示】
【考案が解決しようとする課題】
【０００４】
そこで、本考案者は、上記した薬石によって得られる健康増進作用や味・匂いを変化させる作用を利用するだけでなく、それらの薬石を透明体でなる生活用品や装飾小物に装飾性を付与することにも利用することができるようにすることによって、生活用品や装飾小物の有用性を高めることを考え、本考案をなすに至った。
【０００５】
したがって、本考案は、ガラスや合成樹脂で作られた透明体に、薬石としての稀有元素鉱石が発揮する効用を与えると共に、その稀有元素鉱石に、透明体の装飾性を高める作用をも発揮させ得るような対策を講じることによって、透明体製品の有用性を高めることを目的としている。
【課題を解決するための手段】
【０００６】
本考案に係る透明体製品は、ガラス又は合成樹脂でなる透明体に、目視可能な散点模様を具現する稀有元素鉱石の粉粒体が混入されている。
【０００７】
この考案のように、透明体に稀有元素鉱石が混入されていると、薬石としての稀有元素鉱石の作用が透明体により発揮されるようになる。そのため、当該透明体製品によって、人や動物の健康増進作用のほか、煙草や飲食物に作用してそれの味や匂いなどを好ましいものに変化させる作用（「嗜好改変作用」という）が発揮されるようになる。特に、稀有元素鉱石を塊でなく、粉粒体として透明体に混入してあることにより、稀有元素鉱石による作用が効率よく発揮されるようになるという利点がある。また、装飾面では、透明体に稀有元素鉱石を混入させる形態として、稀有元素鉱石を、大きな塊状ではなく粉粒体（パウダー状又は砂粒状）として混入させる形態を選択してあるので、上記のように健康増進作用や嗜好改変作用を発揮する稀有元素鉱石が透明体の中で散点模様を具現するようになって当該透明体製品によって発揮される装飾性が向上することにもなる。
【０００８】
本考案において、上記稀有元素鉱石には、テラヘルツストーン、トルマリン及びゲルマニウムから選ばれる１種又は２種以上の鉱石が選択される。また、透明体は、装飾用小物としてのとんぼ玉、飲料品を乗せるコースタ、飲料品を掻き混ぜるマドラー、化粧品を乗せるビン台、灰皿、食品保存庫の棚板から選ばれている。
【０００９】
稀有元素鉱石としてのテラヘルツストーンは、所謂岩盤浴などに利用されていて、それから出る透過波長が人や動物の細胞を活性化させて発汗作用を促進させることに役立つほか、遠赤外線による温熱作用が生体の内臓機能を高め、新陳代謝を促進させて肩凝り、損傷治癒にも好ましい効果が得られるとされている。
【００１０】
トルマリンは、美容健康、環境改善素材として脚光を浴びていて、クレンジングクリームや化粧水、美容液などにマイナスイオンを作用させてそれらの性質を好ましく変化させるといった多くの効能を発揮する。また、上記したテラヘルツストーンと同様の遠赤外線による温熱作用や新陳代謝の促進作用、損傷治癒作用なども発揮する。
【００１１】
ゲルマニウムも同様に、温熱作用や新陳代謝促進作用、遠赤外線作用といった多くの効用を発揮する。
【考案の効果】
【００１２】
以上のように、本考案に係る透明体製品は、薬石としての稀有元素鉱石を粉粒体として透明体に混入して目視可能な散点模様を具現させてあることにより、稀有元素鉱石による健康増進作用や嗜好改変作用などが発揮されるだけでなく、その稀有元素鉱石が装飾性を高める要素としても役立つようになる。このことにより、透明体製品のユーザは、その透明体製品を身につけておくだけで健康増進作用を享受することができるだけでなく、身回りが装飾されるという利点も享受することができるようになる。また、当該透明体製品が灰皿や化粧品のビン台などである場合には、煙草の味や化粧品の品質や匂いなどが改善されるという有益性を享受することができるようになる。
【考案を実施するための最良の形態】
【００１３】
図１は本考案に係る透明体製品として、とんぼ玉を選択した事例の一部破断正面図である。とんぼ玉１は、中心に貫通孔１２を有するガラス工芸品であり、その貫通孔１２に紐１３や串（不図示）などを通すことによって帯止め、ストラップ、かんざしといった身回り品の装飾小物として利用されるほか、多くの伝統的な装飾品として数ある場面で利用されている。とんぼ玉１は、シャフトに溶融ガラスを保持させて加熱しながら形を整えることによって製作され、シャフトの抜き跡が上記した貫通孔１２として残っている。
【００１４】
そして、とんぼ玉１はそのガラス層自体を２色又は複数の色に着色したり、表面に花柄、水玉その他の柄模様１３をカラフルに施したものが一般的に知られているけれども、この実施形態では、それらの処置に加えて、稀有元素鉱石の粉体又は粒体をガラスでなる透明体に混入させてある。稀有元素鉱石の粉体又は粒体を混入させる工程は、ガラスが１３００〜１４００℃程度の溶融状態であるときに行うことが望ましい。
【００１５】
溶融状態のガラスに稀有元素鉱石の粉体又は粒体を混入させ、それを上記のようにシャフトに保持させて加熱することにより形を整えると、得られたとんぼ玉１では稀有元素鉱石の粉粒体がガラス層中に散在して目視可能な散点模様が具現する。図中ではその散点模様を点の集合で示してある。
【００１６】
上記したトンボ玉１は、稀有元素鉱石の粉粒体が発揮する作用をそのまま発揮し、しかも、稀有元素鉱石の粉粒体によって具現される散点模様が、そのガラス自体の色やその表面の柄模様などと相乗して装飾性を高めることに役立っている。そのため、ユーザは、稀有元素鉱石発揮する健康増進作用などの有益な作用だけでなく身の回りを飾る作用をも享受することができるようになる。
【００１７】
稀有元素鉱石には、健康増進作用、遠赤外線による温熱作用、損傷治癒作用などの諸作用を発揮するテラヘルツストーン、トルマリン、ゲルマニウムを好適に用い得る。稀有元素鉱石の粉粒体のうち、粉体はパウダー状の固体の意味であり、粒体は粒径０．１〜０．５ｍｍ、特に好ましくは０．３ｍｍ程度の砂粒状の固体の意味である。そして、たとえば、テラヘルツストーンにあっては、その粉体が明るいグレイを呈し、その粒体は黒、白、明るいグレイといった色の粒体が混ざったものになり、それらがガラスに混入されて散点模様を具現する状態では、その散点模様がガラスの色などと融合して金色などに見える。
【００１８】
図２は本考案に係る透明体製品として飲料品を乗せるコースタ２を選択した事例の概略斜視図であり、図３は本考案に係る透明体製品として灰皿３を選択した事例の概略斜視図であり、図４は化粧品を乗せるビン台４を選択した事例の概略斜視図である。図２〜図４に示したコースタ２、灰皿３、ビン台４のほか、図１に示したとんぼ玉１などは、ガラスでなる透明体に稀有元素鉱石の粉粒体を混入したものであっても、透明体として合成樹脂成形体を用いたものであってもよい。そして、合成樹脂成形体をダイスから押し出して成形することによって得られる透明体にあっては、それに混入する稀有元素鉱石を粉体としておくことが望ましい。これは、稀有元素鉱石が粒体であると、その粒体がダイスを詰まらせるおそれがあることによる。
【００１９】
図２のコースタ２にあっては、その上にウイスキーや酒といった酒類、ワインを乗せておくと、そのコースタ２の透明体に含まれる稀有元素鉱石の粉粒体の作用によってそれらの味や匂いが好ましく変化することが期待される。また、図３の灰皿３にあっては、その灰皿の透明体に含まれる稀有元素鉱石の粉粒体の作用によって、その上に置いた煙草の味や匂いが好ましく変化することが期待される。さらに、図４のビン台４にあっては、その上に置いた化粧品の品質などが好ましく変化することが期待される。
【００２０】
本考案に係る透明体製品には、上掲のとんぼ玉１、コースタ２、灰皿３、ビン台４のほかに、ウイスキーなどの酒類を掻き混ぜるためのマドラー、冷蔵庫などの食品保存庫の棚板なとが含まれる。
【図面の簡単な説明】
【００２１】
【図１】本考案に係る透明体製品としてとんぼ玉を選択した事例の一部破断正面図である。
【図２】本考案に係る透明体製品としてコースタを選択した事例の概略斜視図である。
【図３】本考案に係る透明体製品として灰皿を選択した事例の概略斜視図である。
【図４】本考案に係る透明体製品としてビン台を選択した事例の概略斜視図である。
【符号の説明】
【００２２】
１  とんぼ玉
２  コースタ
３  灰皿
４  ビン台
【図１】
0003133762.tif 000003
【図２】
0003133762.tif 000004
【図３】
0003133762.tif 000005
【図４】
0003133762.tif 000006
【手続補正書】
【提出日】平成19年5月16日(2007.5.16)
【手続補正１】
【補正対象書類名】実用新案登録請求の範囲
【補正対象項目名】全文
【補正方法】変更
【補正の内容】
【実用新案登録請求の範囲】
【請求項１】
ガラス又は合成樹脂でなる透明体に、目視可能な散点模様を具現する稀有元素鉱石の粉粒体が混入されていて、上記透明体が、装飾用小物としてのとんぼ玉、飲料品を乗せるコースタ、飲料品を掻き混ぜるマドラー、化粧品を乗せるビン台、灰皿、食品保存庫の棚板から選ばれていることを特徴とする透明体製品。
【請求項２】
上記稀有元素鉱石が、テラヘルツストーン、トルマリン及びゲルマニウムから選ばれる１種又は２種以上の鉱石である請求項１に記載した透明体製品。
【手続補正２】
【補正対象書類名】明細書
【補正対象項目名】０００６
【補正方法】変更
【補正の内容】
【０００６】
本考案に係る透明体製品は、ガラス又は合成樹脂でなる透明体に、目視可能な散点模様を具現する稀有元素鉱石の粉粒体が混入されていて、上記透明体が、装飾用小物としてのとんぼ玉、飲料品を乗せるコースタ、飲料品を掻き混ぜるマドラー、化粧品を乗せるビン台、灰皿、食品保存庫の棚板から選ばれている。
【手続補正３】
【補正対象書類名】明細書
【補正対象項目名】０００８
【補正方法】変更
【補正の内容】
【０００８】
本考案において、上記稀有元素鉱石には、テラヘルツストーン、トルマリン及びゲルマニウムから選ばれる１種又は２種以上の鉱石が選択される。